(57)【要約】【課題】刃部の逃げ面の加工時間を短縮し、かつチップポケットの断面積を大きくすることができる総形フライスを提供する。【解決手段】切れ刃１１に隣接する第一逃げ面１３を回転軸に垂直な断面視で概略凸円弧１６状に形成し、第一逃げ面１３に隣接する第二逃げ面１４を回転軸に垂直な断面視で直線状に形成した。【選択図】図２
2008006564.tif 000002
【特許請求の範囲】
【請求項１】
工具本体に設けられた複数の刃部の切れ刃の輪郭形状を、前記工具本体の回転軸の方向に向けて該回転軸に対する径方向に凹凸する形状とした総形フライスにおいて、前記切れ刃に隣接する第一逃げ面を前記回転軸に垂直な断面視で概略凸円弧状に形成し、前記第一逃げ面に隣接する第二逃げ面を前記回転軸に垂直な断面視で直線状に形成したことを特徴とする総形フライス。
【請求項２】
前記第二逃げ面の幅を前記刃部の刃幅の３０〜５０％に設定し、前記第二逃げ面の逃げ角を４０°〜６０°に設定したことを特徴とする請求項１に記載の総形フライス。
【請求項３】
前記第一逃げ面を前記回転軸に垂直な断面視で複数の直線を凸状に曲折するように連続させた概略凸円弧状に形成したことを特徴とする請求項１又は請求項２に記載の総形フライス。
【請求項４】
前記切れ刃のねじれ角を１５°〜３５°に設定したことを特徴とする請求項１〜請求項３のいずれか一つに記載の総形フライス。
【発明の詳細な説明】
【技術分野】
【０００１】
この発明は、工作物に特殊な形状の溝を切削加工するための回転切削工具である総形フライスに関するものである。
【背景技術】
【０００２】
従来から、工作物に曲線や直線を含む特殊な形状の溝を切削加工することができる総形フライスが知られている。この総形フライスとしては、例えば、タービンブレードを軸心に取付けるための逆クリスマスツリー形状の溝を切削加工するためのものが周知であり、例えば特許文献１には、刃部の逃げ面が外周の切れ刃の刃先径に拘らず、径寸法が一定の直線に対して略同じ大きさの逃げ角で略直線的に径寸法が小さくなるように定められており、軸心と直角な断面において逃げ面が円弧形状を形成しているものが提案されている。
また、特許文献２には逃げ面の面性状が外周切れ刃稜線に対し略平行に切れ刃稜線部から工具回転後方方向に砥石のピッチ送りによる複数の凸条痕を有し、且つ、工具軸直角断面視で近似凸円弧状の該複数の凸条痕部を頂点とする多段形状である総形フライスが提案されている。
【０００３】
前者にあっては、逃げ面と加工面との間の隙間が刃先径の相違に拘らず略同じになるので、大径部における逃げ面と加工面との隙間を確保して切削性能を維持するとともに、刃部の断面積を確保して小径部の工具強度を保つことができる。
後者にあっては、凸条痕により、逃げ面と被削材との接触面積が小さくなり、且つ、切れ刃稜線上に段差や突起部が格段に小さくなり、減少する為、磨耗状態が均一で微小な擦れ磨耗であり、工具磨耗進行及び、チッピングや欠損を抑制でき、また、逃げ面と被削材との接触面積が小さいことから、切削抵抗を削減できる。
【特許文献１】特許３０５８８５６号公報
【特許文献２】特開２００２−３３７０１７号公報
【発明の開示】
【発明が解決しようとする課題】
【０００４】
しかしながら、上記従来の総形フライスは、刃幅全体に渡って円弧形状または近似凸円弧状の逃げ面を加工するため、刃部の加工に時間がかかるという課題があった。また、円弧形状または近似凸円弧状の逃げ面を加工するためには通常特許文献２による記載のように砥石による研磨が行われるが、特に上述のように逆クリスマスツリー形状の溝を加工するために切れ刃が径方向に凹凸しつつ先端側に向けて切れ刃の径が小さくなる場合には、砥石の径が外周の切れ刃の径と比較して大きくなる部分で、隣接する切れ刃が障害となって刃部の逃げ角を大きく加工することが困難である。このため、隣接する刃部の間に形成されるチップポケットの断面積も十分確保することができずに切りくず詰まりが生じる虞があるという課題がある。
【０００５】
この発明は上記の事情を考慮してなされたもので、刃部の逃げ面の加工時間を短縮し、かつチップポケットの断面積を大きくすることができる総形フライスを提供するものである。
【課題を解決するための手段】
【０００６】
上記の課題を解決するために、本発明は、工具本体に設けられた複数の刃部の切れ刃の輪郭形状を、前記工具本体の回転軸の方向に向けて該回転軸対する径方向に凹凸する形状とした総形フライスにおいて、前記切れ刃に隣接する第一逃げ面を前記回転軸に垂直な断面視で概略凸円弧状に形成し、前記第一逃げ面に隣接する第二逃げ面を前記回転軸に垂直な断面視で直線状に形成したことを特徴とする。
なお、このような第二逃げ面は、例えば第一逃げ面の研磨加工に先立って、エンドミル加工を施すことにより形成することができる。
従って、このように構成することで、円弧形状に研磨された第一逃げ面の刃幅方向の幅を小さくすることができる。また、このように第一逃げ面の幅が小さいので、砥石の径が切れ刃の径と比較して大きくなる部分でも砥石が隣接する切れ刃と干渉することがなく、さらに第二逃げ面を直線としたことで、チップポケットの容量を大きくすることができる。
【０００７】
ここで、本発明では、前記第二逃げ面の幅を前記刃部の刃幅の３０〜５０％に設定し、前記第二逃げ面の逃げ角を４０°〜６０°に設定することで概略円弧形状に研磨される第一逃げ面の刃幅方向の幅を小さくするとともに、チップポケットの容量を大きくしつつ、切削に必要な刃部の強度を維持することができる。
【０００８】
このとき、たとえば特許文献２と同様に前記第一逃げ面を前記回転軸に垂直な断面視で複数の直線を凸状に曲折するように連続させた概略凸円弧状に形成してもよい。
【０００９】
さらに、前記切れ刃のねじれ角を１５°〜３５°に設定することにより、切れ刃の特に径方向外周側に凸となる部分の先端側の切れ味を、切れ刃強度を損なうことなく鋭くすることができる。
【発明の効果】
【００１０】
このように、本発明によれば、凸円弧形状に研磨された第一逃げ面の刃幅方向の幅を小さくすることができるため、砥石による研削加工の面積が減少し、加工時間を短縮することができる。また、第二逃げ面の逃げ量及びチップポケットの容量を大きくすることができるため、切りくずの排出性能が向上し、切削性能を向上させることができる。
【発明を実施するための最良の形態】
【００１１】
次に、本発明の実施の形態を図面に基づいて説明する。
図１に示すのは、工具本体１の概略図及び直線Ａ−Ａに沿った回転軸２に垂直な断面図である。工具本体１の輪郭形状３は、例えばタービンブレード（不図示）を軸心に固定するための溝の形状を投影させたもので、回転軸２と垂直の工具本体１径方向に左右対称の凸部４と凹部５とが、工具本体１の基部６から先端７までの間の回転軸２方向で繰り返し形成されている。また、工具本体１の先端７に近づくにつれて凸部４と凹部５の径が徐々に小さくなる逆クリスマスツリー形状となっている。工具本体１の基部６にはシャンク８が設けられている。
【００１２】
工具本体１の外周９には回転軸２を中心として８枚の刃部１０が回転軸２に垂直な断面視で放射状に形成されている。工具本体１の輪郭形状３は外周９に位置する複数の刃部１０に設けられた切れ刃１１によって形成されている。また、切れ刃１１のねじれ角１２は回転軸２に対して１５°〜３０°の範囲で設定されている。さらに、周方向に隣接する刃部１０の間には、凹形状のチップポケット３３が切れ刃１１と等しいねじれ角１２で形成されている。
【００１３】
図２に示すのは、回転軸２に垂直な断面における刃部１０の拡大図である。刃部１０には切れ刃１１の工具回転方向Ｒ後方に隣接する第一逃げ面１３と、第一逃げ面１３のさらに工具回転方向Ｒ後方に隣接する第二逃げ面１４とが形成されている。また、切れ刃１１はすくい面１５と第一逃げ面１３との交線となっており、第二逃げ面１４とチップポケット３３との交線は刃部１０の工具回転方向Ｒ後方のヒール２２とされている。第一逃げ面１３は工具本体１の回転軸２から偏心した中心を有する凸円弧１６上に形成されている。
【００１４】
そして、第一逃げ面１３に隣接する第二逃げ面１４は工具本体１の回転軸２に垂直な断面視で直線状に、第一逃げ面１３の逃げ角１７よりも逃げ角１８を増加させて形成されている。また、第二逃げ面１４の逃げ角１８は４０°〜６０°に設定されている。従って、切れ刃１１を通る経線１９と第二逃げ面１４とがなす角度２０は３０°〜５０°となっている。また、第二逃げ面１４の幅２１は回転軸２に垂直な断面視で切れ刃１１を通る経線１９に垂直な方向に切れ刃１１からヒール２２までの刃幅２３の３０〜５０％に設定されている。
【００１５】
図３に示すのは、一枚の刃部１０のねじれ角１２を０°として、第一逃げ面１３及び第二逃げ面１４側から見た刃部１０の概略投影図である。第一逃げ面１３と第二逃げ面１４は立体的な凹凸形状の工具本体１に形成されているため、第一逃げ面１３と第二逃げ面１４との交線２４及びヒール２２の形状は切れ刃１１のフォームに略相似する形状となっている。
【００１６】
総形フライスの製造時には、旋削によって加工された工具本体１の刃部１０の切れ刃１１から刃幅の５０〜７０％の位置からエンドミル（不図示）によって第二逃げ面１４の三番取り加工を回転軸２に垂直な断面視で直線状に切削する。このとき、切削の角度２０は第一逃げ面１３の逃げ角１７よりも第二逃げ面１４の逃げ角１８が大きくなるように、回転軸２と垂直な断面視で回転軸２と切れ刃１１を結ぶ直線１９に対して３０°〜５０°の範囲で設定する。
【００１７】
次に概略凸円弧１６状の第一逃げ面１３の二番取り加工を砥石（不図示）による研磨加工によって形成する。このとき、図４に示すように数回の研磨加工を繰り返すことによって、複数の近似的な直線２５，２６，２７を連続させ凸状に曲折させて近似的な凸円弧１６形状としてもよい。なお、先に砥石によって第一逃げ面１３を所定の幅で形成しておいてから第二逃げ面１４を形成するようにしてもよい。
【００１８】
ここで、エンドミルによる切削加工によって工具本体１の回転軸２に垂直な断面視で第二逃げ面１４を直線状に加工したことで、従来の円弧形状の第二逃げ面２８の加工において必要とされていた砥石による研磨加工が必要なくなる。したがって、二番取り加工における砥石による研磨加工の面積を減少させることができる。
【００１９】
また、従来の砥石による研磨加工では、凸部４と凹部５の径が小さくなる工具本体１の先端７側のように砥石の径が工具本体１の径と比較して大きくなる部分では、隣接する刃部１０の切れ刃１１が障害となって第二逃げ面１４の逃げ角１８及び逃げ量３０，３１を大きくすることが困難であったが、径の小さいエンドミルを用いることによって隣接する刃部に干渉し難く、隣接する切れ刃が障害となり難い。
【００２０】
また、第二逃げ面１４を回転軸２に垂直な断面視で直線状に形成したことで、二番取り加工による第一逃げ面１３をそのまま凸円弧１６に沿って延長させたときの逃げ量３０や、従来の三番取り加工による第二逃げ面２８のように略凸円弧１６上の第一逃げ面１３からさらに後退する偏心した略凸円弧２９上の第二逃げ面２８を形成した場合の逃げ量３１を比較しても、逃げ量３２を大きくすることができる。
【００２１】
また、第二逃げ面１４を回転軸２に垂直な断面視で直線状に形成するときに、第二逃げ面１４の幅２１を刃幅２３の３０〜５０％に設定し、第二逃げ面１４の逃げ角１８を４０°〜６０°に設定したことで、刃部１０の断面積を確保して刃部１０に必要な強度を維持しながら第二逃げ面１４の逃げ量３２を大きくすると同時に、チップポケット３３の容量を大きくすることもできる。すなわち、刃幅２３や逃げ角１８がこれより大きいと刃部１０の断面積が小さくなりすぎて、刃部１０に欠損が生じたりする虞があり、逆にこれより小さいと十分な逃げ量３２を確保できなくなる虞が生じる。
【００２２】
さらに、被加工物（不図示）、例えばタービンブレードの溝の切削時には、工具本体１を回転させながら回転軸２と垂直方向に移動させて、切れ刃１１を被加工物に切り込んでいくことで工具本体１の輪郭形状３が被加工物に転写され、被加工物に逆クリスマスツリー形状の溝が切削されるが、このとき切れ刃１１のねじれ角１２を１５°〜３０°の範囲に設定したことで、切れ刃１１を被加工物に対して切れ味よく切り込むことができる。また、切削に関する切れ刃１１の長さを長くすることができるので、切れ刃１１の損耗を抑制することができる。このとき、１５°より小さいねじれ角１２では十分な効果を得ることができず、３０°より大きいねじれ角１２では、特に凸部４の先端７側の切れ刃１１強度が損なわれる問題がある。
【００２３】
したがって、上述の実施の形態によれば、第二逃げ面１４を回転軸２に垂直な断面視で直線状に形成したことで砥石による研磨加工の面積を減少させるとともに、砥石による研磨加工と比較して加工時間が短いエンドミルを用いることにより、総形フライスの製作時間を短縮することができる。また、従来の二番取り加工及び三番取り加工を回転軸２から偏心した略凸円弧１６，２９状に形成した場合よりも第二逃げ面１４の逃げ量３２を大きくすることができる。従って、チップポケット３３の容量を大きくすることができ、切りくずの詰まりを抑制することができるので、切削性能を向上させることができる。
【００２４】
また、図４に示したように第一逃げ面１３において数回の研磨加工を繰り返すことによって複数の近似的な直線２５，２６，２７を連続させ、凸状に曲折させて近似的な凸円弧１６形状とした場合には、工具磨耗の進行及びチッピングや欠損を抑制でき、また切削抵抗を削減できる。さらに、この場合には、第二逃げ面１４を回転軸２に垂直な断面視で直線状に形成したことにより、図５に示すように近似的な直線２７を形成する砥石の径による凸条痕３４をそのまま延長させて凸円弧２９上の第二逃げ面２８に交差させたときに形成される頂点３５の高さに対して、凸条痕３４と第二逃げ面１４との交線２４の位置を内周側に低くすることができ、二番当たりを防止することができる。したがって、刃部１０の欠けを防止して工具寿命を延長させることができるだけでなく、被加工物を傷つけずに精度よく加工することができる。
【００２５】
尚、この発明は上述した実施の形態に限られるものではなく、第一逃げ面を凸円弧状ではなく略直線状に加工してもよい。また、上記実施の形態では刃部を８枚設けてある場合について説明したが、刃部の枚数が異なる構成としてもよい。また総形フライスの輪郭形状における凹凸の数、形状が異なるものを用いてもよい。
また、ねじれ角の設定は等ねじれまたは等リードのどちらでもよい。等リードの場合のねじれ角設定外径は中間径が一般的であるが、任意の外径を基準にしてもよい。
【図面の簡単な説明】
【００２６】
【図１】本発明の実施の形態における総形フライスの工具本体概略図及び直線Ａ−Ａに沿った回転軸に垂直な断面図である。
【図２】本発明の実施の形態における総形フライスの回転軸に垂直な断面における刃部の拡大図である。
【図３】本発明の実施の形態における総形フライスの一枚の刃部の全長をねじれ角を０として逃げ面側から見た刃部の概略投影図である。
【図４】本発明の実施の形態における変形例の総形フライスの回転軸に垂直な断面における第一逃げ面の拡大図である。
【図５】本発明の実施の形態における変形例の総形フライスの回転軸に垂直な断面における第一逃げ面と第二逃げ面の交線付近の拡大図である。
【符号の説明】
【００２７】
１    工具本体
２    回転軸
３    輪郭形状
１０  刃部
１１  切れ刃
１２  ねじれ角
１３  第一逃げ面
１４  第二逃げ面
１６  凸円弧
１８  第二逃げ面の逃げ角
２１  第二逃げ面の幅
２３  刃幅
２５  直線
２６  直線
２７  直線
【図１】
2008006564.tif 000003
【図２】
2008006564.tif 000004
【図３】
2008006564.tif 000005
【図４】
2008006564.tif 000006
【図５】
2008006564.tif 000007